(57)【特許請求の範囲】
【請求項１】
一方の建物の目地部側に下方へ突出する障害物が形成され、かつ下部が該障害物の下部より下方に位置する吊り下げ具によって吊り下げ固定された先端部が目地部側端部まで位置し、下部が外方へ突出する傾斜面に形成された天井材と、この天井材の先端部の傾斜面と当接する他方の建物の壁面との間の目地部を覆う目地天井カバーと、この目地天井カバーの後端部を支持する前記他方の建物の壁面に取付けられた目地天井カバー支持具と、前記目地天井カバーの中央部寄りの部位を吊り下げ状態で保持する、前記他方の建物の壁面に取付けられた保持機構と、地震で目地部が狭くなり、前記目地天井カバーの先端部が前記天井材に乗り上げた場合に、該目地天井カバーの先端部が前記障害物に衝突しないよう上方へ突出するのを阻止するように、該目地天井カバーの後端部を上方へ移動させる後端部移動機構とからなる天井用目地装置において、前記目地天井カバー支持具は目地天井カバーの後端部が下方へ移動しないように支持する支持部および、目地天井カバーの後端部を順次上方へスライド移動させる傾斜面が形成された他方の建物の壁面に取付けられた支持体と、目地天井カバーの後端部が他方の建物の壁面から必要以上離れるのを阻止し、かつ該目地天井カバーの後端部を前記傾斜面にスライド移動させることができる保持具とで構成したことを特徴とする天井用目地装置。
【請求項２】
保持機構は目地天井カバーの上部位置の他方の建物の壁面に取付けられた該目地天井カバーの中央部より前方へ突出する複数個の支持アームと、この複数個の支持アームの先端部に取付けられた、前記目地天井カバーの中央部に取付けられ、該天井目地カバーをほぼ水平状態に保持する目地天井カバー保持具とで構成されていることを特徴とする請求項１記載の天井用目地装置。
【発明の詳細な説明】
【技術分野】
【０００１】
本発明は目地部を介して設けられた左右の建物の天井部分の目地部を覆う天井用目地装置に関する。
【背景技術】
【０００２】
従来、この種の天井用目地装置は地震で目地部が狭くなるように左右の建物が揺れ動いた場合に、目地部を覆っていた天井目地カバーの先端部を上方へ突出するように回動させて、その揺れ動きを吸収する構造になっている。
このため、目地部側に下方へ突出する梁や目地部側に下方へ突出する突出躯体の障害物が形成されていると、地震で目地部が狭くなるように左右の建物が揺れ動いた場合、天井目地カバーの先端部が上方へ回動して、障害物と衝突して損傷するため、このような所には設置することができなかった。
【先行技術文献】
【特許文献】
【０００３】
【特許文献１】特許第３４０８１８１号公報
【発明の概要】
【発明が解決しようとする課題】
【０００４】
本発明は以上のような従来の欠点に鑑み、目地部側に下方へ突出する障害物が形成されて、該障害物と天井材との間の隙間が小さくても、目地部をきれいに覆い、かつ目地部が狭くなっても、損傷することなく、その揺れ動きを吸収することができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の目地部側に下方へ突出する障害物が形成され、かつ下部が該障害物の下部より下方に位置する吊り下げ具によって吊り下げ固定された先端部が目地部側端部まで位置し、下部が外方へ突出する傾斜面に形成された天井材と、この天井材の先端部の傾斜面と当接する他方の建物の壁面との間の目地部を覆う目地天井カバーと、この目地天井カバーの後端部を支持する前記他方の建物の壁面に取付けられた目地天井カバー支持具と、前記目地天井カバーの中央部寄りの部位を吊り下げ状態で保持する、前記他方の建物の壁面に取付けられた保持機構と、地震で目地部が狭くなり、前記目地天井カバーの先端部が前記天井材に乗り上げた場合に、該目地天井カバーの先端部が前記障害物に衝突しないよう上方へ突出するのを阻止するように、該目地天井カバーの後端部を上方へ移動させる後端部移動機構とからなる天井用目地装置において、前記目地天井カバー支持具は目地天井カバーの後端部が下方へ移動しないように支持する支持部および、目地天井カバーの後端部を順次上方へスライド移動させる傾斜面が形成された他方の建物の壁面に取付けられた支持体と、目地天井カバーの後端部が他方の建物の壁面から必要以上離れるのを阻止し、かつ該目地天井カバーの後端部を前記傾斜面にスライド移動させることができる保持具とで天井用目地装置を構成している。
【発明の効果】
【０００７】
以上の説明から明らかなように、本発明にあっては次に列挙する効果が得られる。
（１）請求項１により、地震により目地部が狭くなるように左右の建物が揺れ動いた場合に、目地天井カバーの先端部が天井材に乗り上げるとともに、後端部移動機構で目地天井カバーを上方へ移動させることができる。
したがって、目地天井カバーが天井材に乗り上げて先端部が上方へ突出しようとすると、後端部移動機構によって目地天井カバーの後端部が上方へ移動して、先端部が上方へ突出するのを阻止できる。
よって、天井材と障害物との間の隙間が小さくても、目地天井カバーを損傷なく設置することができる。  
（２）前記（１）により、地震で目地部が狭くなる揺れ動き時に、目地天井カバーの後端部を後端部移動機構で上方へ移動させるので、従来のように目地天井カバーの支点位置の変化によって移動するものに比べ、スムーズに衝撃なく移動させることができる。
（３）前記（１）によって、他方の建物の壁面に後端部移動機構を設置できるので、寸法的に余裕のある場所であるため、容易で、楽に取付けることができる。
（４）前記（１）によって、目地天井カバーの後端部が下方へ移動しないように支持する支持部および、目地天井カバーの後端部を順次上方へスライド移動させる傾斜面が形成された他方の建物の壁面に取付けられた支持体と、目地天井カバーの後端部が他方の建物の壁面から必要以上離れるのを阻止し、かつ該目地天井カバーの後端部を前記傾斜面にスライド移動させることができる保持具とからなる目地天井カバー支持具を用いているので、目地天井カバーの先端部を天井材７の先端部の傾斜面６と、目地天井カバー９の後端部を目地天井カバー支持具１０の傾斜面２０とでほぼ水平状態で上方へ押し上げることができ、構造が簡単で、容易に設置することができる。
（５）請求項２も前記（１）〜（４）と同様な効果が得られるとともに、目地天井カバーの必要以上の移動を効率よく阻止することができる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態の目地部が狭くなりはじめの状態の説明図。
【図５】本発明を実施するための第１の形態の目地部が狭くなった状態の説明図。
【図６】本発明を実施するための第１の形態の目地部が広くなった状態の説明図。
【図７】本発明者が考えた天井用目地装置の平面図。
【図８】図７の８−８線に沿う断面図。
【図９】本発明者が考えた天井用目地装置の目地部が狭くなった状態の説明図。
【図１０】本発明者が考えた天井用目地装置の平面図。
【図１１】図１０の１１−１１線に沿う断面図。
【図１２】本発明者が考えた天井用目地装置の目地部が狭くなった状態の説明図。
【図１３】本発明を実施するための第２の形態の平面図。
【図１４】図１３の１４−１４線に沿う断面図。
【図１５】本発明を実施するための第２の形態の目地部が狭くなった状態の説明図。
【図１６】本発明を実施するための第３の形態の平面図。
【図１７】図１６の１７−１７線に沿う断面図。
【図１８】本発明を実施するための第３の形態の目地部が狭くなった状態の説明図。
【図１９】本発明を実施するための第４の形態の平面図。
【図２０】図１９の２０−２０線に沿う断面図。
【図２１】図１９の２１−２１線に沿う断面図。
【発明を実施するための形態】
【０００９】
以下、図面に示す本発明を実施するための形態により、本発明を詳細に説明する。
【００１０】
図１ないし図６に示す本発明を実施するための第１の形態において、１は目地部２を介して設けられた左右の建物３、３の天井部位の目地部を覆う本発明の天井用目地装置で、この天井用目地装置１は一方の建物３の目地部２側に下方へ突出する梁や目地部２側に下方へ突出する突出躯体等の障害物４が形成され、かつ下部が該障害物４の下部より下方に位置する吊り下げ具５によって吊り下げ固定された先端部が目地部２側端部まで位置し、下部が外方へ突出する傾斜面６に形成された天井材７と、この天井材７の先端部の傾斜面６と当接する傾斜面８に形成され、かつ他方の建物３の壁面３ａとの間の目地部２を覆う目地天井カバー９と、この目地天井カバー９の後端部を支持する前記他方の建物３の壁面３ａに取付けられた目地天井カバー支持具１０と、前記目地天井カバー９の中央部寄りの部位を吊り下げ状態で保持する前記他方の建物３の壁面３ａに取付けられた目地天井カバー保持具１０と、前記目地天井カバー９の中央部寄りの部位を吊り下げ状態で保持する前記他方の建物３の壁面３ａに取付けられた保持機構１１と、地震で目地部２が狭くなり、前記目地天井カバー９の先端部が前記天井材７に乗り上げた場合に、該目地天井カバー９の先端部が前記障害物４に衝突しないように上方へ突出するのを阻止するように該目地天井カバー９の後端部を上方へ移動させる後端部移動機構１２とで構成されている。
【００１１】
前記天井材７の先端部には、該先端部を保護するとともに、前記目地天井カバー９の先端部を支持するカバー部材１３が取付けられている。
【００１２】
前記目地天井カバー９は前記天井材７とほぼ同じ厚さ寸法で、先端部が該天井材７の傾斜面６と面接触する傾斜面８となるように目地天井カバー本体１４および、該目地天井カバー本体１４の底面に固定された多数個のスライドリブ１５が形成された化粧板１６とで構成されている。
【００１３】
前記目地天井カバー支持具１０は前記他方の建物３の壁面３ａに複数本のビス１７で固定されるＬ字状の目地天井カバー支持具本体１８と、この目地天井カバー支持具本体１８の先端部の支持部１９に一端部が固定され、他端部が傾斜面２０を介して前記Ｌ字状の目地天井カバー支持具本体１８の他端部に固定されたガイド部材２１と、一端部が支持部１９に後端部が支持されている目地天井カバー９の後端部に取付けられ、他端部が前記Ｌ字状の目地天井カバー支持具本体１８の上部あるいは、該上部より上方の壁面３ａに取付けられたワイヤーやロープを用いた保持具２２とで構成されている。
【００１４】
前記保持機構１１は前記目地天井カバー支持具１０の上部位置の壁面３ａに、前記天井目地部２の中央部へ突出するように固定された少なくとも２個以上の支持アーム２３、２３と、この支持アーム２３、２３の先端部に一端部が取付けられ、他端部は前記目地天井カバー９のほぼ中央部に、該目地天井カバー９が水平状態となるように保持できるように取付けられたワイヤー、ロープ、チエーン等の目地天井カバー保持具２４、２４とで構成されている。
【００１５】
前記後端部移動機構１２は地震で目地部２が狭くなり、前記目地天井カバー９の先端部が前記天井材７に乗り上げた場合に、前記天井材７の先端の上部位置を支点０にしてほぼ水平状態となるように、該目地天井カバー９の後端部を上方へ引き上げることができるように一端部が前記支持アーム２３、２３の後端部寄りの部位に取付けられ、他端部が該目地天井カバー９の後端部寄りの部位に取付けられた引張りバネ２５、２５で構成されている。
【００１６】
なお、この引張りバネ２５、２５の弾性力は目地天井カバー９が前記ガイド部材２１に支持されている場合には、該目地天井カバー９の自重で上方へ引き上げるだけの弾性力がなく、目地天井カバー９の先端部が天井材７へ乗り上げることにより目地天井カバーの自重が小さくなり、該目地天井カバー９を水平状態にする弾性力のあるものが使用されている。
【００１７】
上記構成の天井用目地装置１は通常時には図１および図２に示すように、天井目地部２は天井材７とほぼ同一面に位置する目地天井カバー９で覆われている。
【００１８】
地震で天井目地部２が狭くなるように左右の建物３、３が揺れ動いた場合、目地天井カバー９の先端部が天井材７に乗り上げて、目地天井カバー９が傾斜状態になった後、天井材７の先端部の上部位置に目地天井カバー９の先端部が位置し、該位置を支点０として目地天井カバー９が後端部移動機構１２の引張りバネ２５、２５によって上方へ回動して、ほぼ水平状態に位置させ、目地天井カバー９の先端部が一方の建物３の障害物４に衝突するのを効率よく阻止でき、一方の建物３の目地部側に下方へ突出する障害物４がある建物３、３間にも損傷することなく、設置することができる。
地震で目地部２が広くなるように左右の建物３、３が揺れ動いた場合、図６に示すように目地天井カバー９は天井材７の先端部より離れるように他方の建物３と一体になって移動し、その揺れ動きを吸収するとともに、揺れ動きが停止すると元の状態へ自動的に戻る。      
【００１９】
[発明を実施するための異なる形態]
次に、図７ないし図２１に示す本発明者が考えた天井用目地装置の形態および本発明を実施するための異なる形態につき説明する。なお、これらの本発明者が考えた天井用目地装置および本発明を実施するための異なる形態の説明に当って、前記本発明を実施するための第１の形態と同一構成部分には同一符号を付して重複する説明を省略する。
【００２０】
図７ないし図９に示す本発明者が考えた天井用目地装置の形態において、前記本発明を実施するための第１の形態と主に異なる点は、他方の建物３の壁面３ａに複数個本のビス２６で固定された目地天井カバー９の後端部を支持するＬ字状の目地天井カバー支持具本体１８と、前記支持アーム２３、２３の下部位置に位置するように壁面３ａより突出するように設けられた後部支持アーム２７、２７と、この後部支持アーム２７、２７に一端部が取付けられ、他端部が目地天井カバー９の後端部寄りの部位に取付けられた、ワイヤーやロープ等の上下方向の保持具２２、２２および目地天井カバー９の後端部寄りの部位に一端部が取付けられ、他端部が壁面３ａに取付けられた、壁面３ａより目地天井カバー９が所定量以上離れるのを防止する離れ防止保持具２８、２８とからなる目地天井カバー支持具１０Ａを用いた点で、このような目地天井カバー支持具１０Ａを用いて構成した天井用目地装置１Ａにしてもよい。
【００２１】
図１０ないし図１２に示す本発明者が考えた天井用目地装置の形態において、前記図７ないし図９に示す形態と主に異なる点は、後部支持アーム２７、２７と目地天井カバー９に、該目地天井カバー９の上方への移動ができ、かつ下方への移動は阻止することができる吊り棒２９を用いた上下方向の保持具２２Ａ、２２Ａを用いた点で、このような上下方向の保持具２２Ａ、２２Ａを用いて構成した天井用目地装置１Ｂにしても、よい。
【００２２】
なお、この形態ではＬ字状の目地天井カバー支持具本体１８を設置しなくても、上下方向の保持具２２Ａ、２２Ａで確実に目地天井カバー９を支持することができる。
【００２３】
図１３ないし図１５に示す本発明を実施するための第２の形態において、前記本発明を実施するための第１の形態と主に異なる点は、支持アーム２３、２３の先端部に取付けられた係止ピン３０、３０によって上方へ移動可能な長孔３１、３１を介して吊り下げられたバー部材３２、３２と、このバー部材３２、３２の下端部に目地天井カバー９の中央部を枢支する取付金具３３、３３とを用いた保持機構１１Ａを用いるとともに、天井材７の傾斜面６と接触する目地天井カバー９の先端部の傾斜面８との接触抵抗よりも小さな接触抵抗となるように目地天井カバー支持具９の傾斜面２０と目地天井カバー９の後端部とを接触するように設定した目地天井カバー９の後端部を上方へ移動させる後端部移動機構１２Ｂを用いた点で、このような保持機構１１Ａや後端部移動機構１２Ｂを用いて構成した天井用目地装置１Ｃにしても、前記本発明を実施するための第１の形態と同様な作用効果が得られる。
【００２４】
なお、本実施形態では後端部移動機構１２Ｂは天井材７の傾斜面６の傾斜角度よりも小さな傾斜角度に傾斜面２０を設定することにより可能となるとともに、目地天井カバー支持具９の傾斜面２０にスベリ剤を塗布したり、スベリ材を設置してもよい。
【００２５】
図１６ないし図１８に示す本発明を実施するための第３の形態において、前記  図１０ないし図１２に示す形態と主に異なる点は、後部支持アーム２７、２７の先端部に取付けられた係止ピン３４、３４によって上方へ移動可能な長孔３５、３５を介して吊り下げられたバー部材３６、３６を用いた保持具２２Ｂ、２２Ｂと、天井材７の傾斜面６と接触する目地天井カバー９の先端部の傾斜面８との接触抵抗よりも小さな接触抵抗となるように目地天井カバー支持具９の傾斜面２０と目地天井カバー９の後端部とを接触するように設定した目地天井カバー９の後端部を上方へ移動させる後端部移動機構１２Ｂを用いた点で、このような目地天井カバー支持具１０Ｂ、１０Ｂや後端部移動機構１２Ｂを用いた天井用目地装置１Ｄにしてもよい。
【００２６】
図１９ないし図２１に示す本発明を実施するための第４の形態において、前記本発明を実施するための第１の形態と主に異なる点は、所定間隔で数ｍｍだけ下方へ突出するブレード３７を地震で左右方向に移動する方向に配置した天井目地カバー９Ａを用いた点で、このような天井目地カバー９Ａを用いた天井用目地装置１Ｅにしても、前記本発明を実施するための第１の形態と同様な作用効果が得られるとともに、地震で目地部が狭くなるように左右の建物３，３が揺れ動いても天井材の上面と目地天井カバー９Ａの複数個のブレード３７の底面だけが接触して、目地天井カバー９Ａの底面に位置する化粧板が損傷するのを効率良く阻止することができる。
【００２７】
なお、このように形成された目地天井カバー９Ａは前記本発明を実施するための第２の形態から前記本発明を実施するための第３の形態にも使用することができる。
また、前記本発明を実施するための各形態では２個の支持アーム２３、２３を用いる保持機構１１、１１Ａについて説明したが、本発明はこれに限らず、２個以上の複数個の支持アームを用いた保持機構を用いても同様な作用効果が得られる。
【産業上の利用可能性】
【００２８】
本発明は目地部を介して設けられた左右の建物の天井目地部を覆う天井用目地装置を製造する産業で利用される。
【符号の説明】
【００２９】
１、１Ａ、１Ｂ、１Ｃ、１Ｄ、１Ｅ：天井用目地装置、
２：目地部、        ３：建物、
４：障害物、          ５：吊り下げ具、  
６：傾斜面、        ７：天井材、
８：傾斜面、        ９：目地天井カバー、
１０、１０Ａ、１０Ｂ：目地天井カバー支持具、
１１、１１Ａ：保持機構、    １２、１２Ａ、１２Ｂ：後端部移動機構、
１３：カバー部材、      １４：目地天井カバー本体、
１５：スライドリブ、    １６：化粧板、
１７：ビス、
１８：Ｌ字状の目地天井カバー支持具本体、
１９：支持部、      ２０：傾斜面、
２１：ガイド部材、      ２２、２２Ａ、２２Ｂ：支持具、
２３：支持アーム、      ２４：目地天井カバー保持具、
Ｏ：支点、        ２５：引張りバネ、
２６：ビス、        ２７：後部支持アーム、
２８：離れ防止保持具、    ２９：吊り棒、
３０：係止ピン、      ３１：長孔、
３２：バー部材、      ３３：取付金具、
３４：係止ピン、      ３５：長孔、
３６：バー部材、              ３７：ブレード。
【図１】
0005706348.tif 000002
【図２】
0005706348.tif 000003
【図３】
0005706348.tif 000004
【図４】
0005706348.tif 000005
【図５】
0005706348.tif 000006
【図６】
0005706348.tif 000007
【図７】
0005706348.tif 000008
【図８】
0005706348.tif 000009
【図９】
0005706348.tif 000010
【図１０】
0005706348.tif 000011
【図１１】
0005706348.tif 000012
【図１２】
0005706348.tif 000013
【図１３】
0005706348.tif 000014
【図１４】
0005706348.tif 000015
【図１５】
0005706348.tif 000016
【図１６】
0005706348.tif 000017
【図１７】
0005706348.tif 000018
【図１８】
0005706348.tif 000019
【図１９】
0005706348.tif 000020
【図２０】
0005706348.tif 000021
【図２１】
0005706348.tif 000022